(57)【要約】【課題】雨天時等の外出は傘を差していても靴およびズボンまたはスカートの裾が濡れたり汚れたりして後の処置が大変であり、都市部等において雨靴や雨合羽のズボン等を着用するのは、大げさで抵抗があった。これらを解決するため、男女を問わず装着でき、着脱が容易で、安価で、靴の上から履けるフリーサイズの靴と裾の防水カバー２タイプを提供する。【課題手段】課題解決のため、長尺幅広楕円状の先端をしたビニール等の袋で、靴を履いたまま足元から股下位までソックスを履く感覚で履き、その上部側面を適宜の長さに、フック付きクリップで止め、そのフック部分を、ポケット又はベルト等に引っ掛けて固定するソックスタイプと、胴付き二股で腰の部分で固定し、スカートの上からでも履けるズボンタイプを使い分けることが出来る。また本発明装置は小さく折りたたんで携帯すれば不意の降雨時に備えることができる。【選択図】      図１
2004275656.tif 000002
【特許請求の範囲】
【請求項１】
ビニール樹脂またはポリエチレン等を素材とし、ソックスの様な形状をした、長尺幅広かつ薄手で透明または有色の先端の丸い袋で、靴を履いたまま、その袋の中にすっぽり股下位まで片足が突っ込め、その袋上部側面を、プラスチック等の素材からなるフック付きクリップで挟み、そのフック部をズボンのポケットに引っ掛け、この袋が、ずり落ちないように固定し、もう一方の足についても同様に装着するという、組み合わせ、素材、形状、構造を特徴としたソックスタイプの靴の上から履けるフリーサイズの靴と裾の防水カバー。
【請求項２】
前述【請求項１】と同様の素材で、足の付け根の部分が結合し、両足、尻、ウエスト部分が一体となり、スカート等をはいたまま装着できることを特徴とした、ズボンタイプの靴の上から履けるフリーサイズの靴と裾の防水カバー。
【発明の詳細な説明】
【０００１】
【発明の属する技術分野】
本発明は、ビニール樹脂またはポリエチレン等（以下ビニール等と呼称する）の素材からなり、フリーサイズかつ長尺で靴の上から履けるソックスタイプと、スカート等の上から履けるズボンタイプで、雨天等の外出時において、水や泥跳ねから靴、足元、裾を守る防水カバーに関するものである。
【０００２】
【従来の技術】
従来、雨天等の足元防水対策技術として雨靴、合羽等の着用がある。また、本発明に類似した足元防水に関する先行技術として、足元カバー等があり、それらは靴底に相当する部分に滑り止めを施すと共に、カバーがずり落ちないように、個々の上部に弾性部材を付けた、ずり落ち防止付き足元防水技術となっている。
【０００３】
先行する技術として特開２００２−２３８６０４、特開平１０−２４８６０２、特開平０８−２６６３０１、実登３０４０４８２、実開平０５−０５１９０７等がある。
【発明が解決しようとする課題】
【０００４】
これら先行技術には次のような欠点があった。周知の雨靴はそれを履いて電車に乗る時や、人前に出るのに抵抗があり、また不意の天候の変化に対応できなかった。本発明に先行する足元カバー等においては、着用時、個々に取り付けた落下防止用の弾性部材を広げて履くのに手間がかかる。また、使用後、雨で濡れたカバーを取り外す際に手間を要する上、スカート等では裾濡れ防止が出来ないため、女性は雨天時等において、やむを得ず足元が濡れるのを覚悟で外出していた。
【０００５】
【課題を解決する為の手段】
上記課題解決のため、長尺幅広先端の丸いビニール等の袋で、靴を履いたまま足元から股下位までソックスを履く感覚で履き、フック付きクリップでカバー上部側面を挟み、ポケットにフック部を引っ掛けて落下しないように固定するソックスタイプと、スカート等をはいた人用のズボンタイプの防水カバーを、使い分ける。また、弾性部材をなくし履き易くする。更に本発明装置は折りたためば、かさ張らず携帯性に富む事から不意の天候変化にも対応でき、手軽に利用できる。
【０００６】
【発明の実施の形態】
発明の実施形態を図面に基づいて説明する。図１は本発明品を装着した一例の側面図である。ビニール等の素材で楕円状つま先（８）を有する脚の長いソックスタイプの防水カバー（１）を靴（２）とズボン（３）の上から履き防水カバー上部（９）の外側に当たる防水カバー上部の耳（１５）をフック付きクリップ（５）で挟み、ポケット引っ掛け部（１７）はズボンのポケット（４）に引っ掛け、ずり落ちないように固定する。
【０００７】
ポケットが無い場合等はポケット引っ掛け部（１７）をベルト（１８）に引っ掛けても良い。フック付きクリップの代わりに粘着テープ（１０）等で止めても良い。装着して自転車に乗るときや、防水カバー（１）がダブついて歩きにくい時は輪ゴム（７）等で締めて固定するのが望ましい。また従来の技術で靴底に施していた滑り止めは、薄手のビニール等を素材とすることで、ビニールの表面に細かい砂等が食い込んで履いた人の体重との摩擦で、十分な滑り止め効果が得られるため、滑り止め加工については特に限定しない。
【０００８】
図２は本装置を装着した様子を正面から見た図である。背の低い人は防水カバー上部（９）をその人の脚の長さに合わせ、適宜な長さの折り曲げ点（１１）で折り曲げ、フリーサイズであるから脚の長さに調整することができる。
【０００９】
図３は本発明品の単独の様子を上面からみた図である。楕円状のつま先部（８）から靴装着部（１３）に沿って切り離し線（１２）を入れ、切り離せばその残り部分は次のカバー（１）の防水カバー上部の耳（１５）となるので、その（１５）を持って履けば履き易い。また（１５）を輪結びにしてフック掛け用の輪（６）として利用できる。（１５）の長さの一例として２０ｃｍ位が考えられる。また大量に備え付けるとき便利なようにロール巻き（１４）にした場合の一例でもある。
【００１０】
本品は前述のようにロール巻きとして備え付けてもよいし、２個１組のペアーで折りたたんで携帯用にしても良い。また、これを装着する時は縫い代（２４）を他の足で踏みつける恐れがあるので裏返しにして履くのが望ましい。
【００１１】
本発明品のビニール等を厚手の素材として、雨天時のゴルフプレー用等の防水ソックスとして使う場合、ゴルフ靴底のピン等に靴底に当たる部分を突き破って、しっかり食い込ませ、歩行時に滑らないように注意が必要である。
【００１２】
図４はフック付きクリップの一例を示している。ＡＢＳ等プラスチック等素材または金属素材からなり、クリップ（１９）で挟むか、カバー引っ掛け部（１６）にカバー上部の耳部（１５）を輪状結びしてカバー引っ掛け部（１６）の中にその輪を掛け、ポケット引っ掛け部（１７）をポケットに掛ける。
【００１３】
図５はズボンタイプを広げた正面図である。スカート等をはいたとき使用する場合において、着用時スカートの裾が一部めくれる可能性があるため本品の素材色は中が透けて見えないように、色付きの防水カバーが望ましい。
【００１４】
図６はズボンタイプをスカートの上から装着した一例の正面図である。見方によっては農家の主婦がはく、モンペの様な形状をしている。股下が深く脚の部分が短いのが特徴である。この形状にすることでスカート等をはいたまま装着でき、靴および足元、スカートの全部を雨濡れから防止できる。
【００１５】
本発明は前述の通り使い捨てが原則である事から、環境保全を考慮し使用後の焼却時に有害ガス発生の少ない素材とすることが当然望ましい。
【００１６】
【発明の効果】
本発明は以上のような形態で実施され、着用に男女を問わず、着脱が容易で、携帯性に優れ、使用後の処理も容易である。また、特別な加工を必要としないためコスト面で相当安くでき、駅前等で配布されている携帯用ティッシュの様な、ノベルティーグッズ等としても利用できる。
【図面の簡単な説明】
【図１】ソックスタイプを装着した一例の側面図である。
【図２】ソックスタイプを装着した一例の正面図である。
【図３】ソックスタイプを広げた時の上面図である。
【図４】防水カバーを固定するフック付きクリップの側面図である。
【図５】ズボンタイプを広げた時の上面図である。
【図６】ズボンタイプをスカートの上から装着した一例の正面図である。
【符号の説明】
１  ソックスタイプの防水カバー
２  靴
３  ズボン
４  ズボンのポケット
５  フック付きクリップ
６  フック掛け用の輪
７  輪ゴム
８  楕円上つま先部
９  防水カバー上部
１０  粘着テープ
１１  折り曲げ点
１２  切り離し線
１３  靴装着部
１４  ロール巻き
１５  防水カバー上部の耳
１６  防水カバー引っ掛け部
１７  ポケット引っ掛け部
１８  ベルト
１９  クリック部
２０  バネ
２１  スカート
２２  ズボンタイプの防水カバー
２３  足
２４  縫い代
【図１】
2004275656.tif 000003
【図２】
2004275656.tif 000004
【図３】
2004275656.tif 000005
【図４】
2004275656.tif 000006
【図５】
2004275656.tif 000007
【図６】
2004275656.tif 000008